(57)【要約】      （修正有）【課題】食品を製造販売する際に加わる外力に対応可能な剛性を有する包装用容器を提供することにある。【解決手段】包装用容器は、底面部１と、この底面部の周縁から立ち上がる側壁部２と、この側壁部から外方に延出するフランジ部３とを備え、この底面部には、中心部１１の両側に屈折部４１ａ〜４１ｆの先端が外側を向いている凸状且つくの字型の底面リブ４ａ〜４ｆが複数設けられ、この側壁部には、この底面リブの各々の端部とつながる側壁リブ５ａ〜５ｆが設けられている。また、隣り合う底面リブ４ａ及び４ｂ，４ｂ及び４ｃ，４ｄ及び４ｅ，４ｅ及び４ｆの各々の間のこの底面部には、この底面リブの各々をつなぐ凸状の梁リブ６ａ，６ｂ，６ｅ，６ｆが複数設けられている。【選択図】図１
2017137065.tif 000002
【特許請求の範囲】
【請求項１】
底面部と、当該底面部の周縁から立ち上がる側壁部と、当該側壁部から外方に延出するフランジ部とを備え、
前記底面部には、中心部の両側に屈折部の先端が外側を向いている凸状且つくの字型の底面リブが設けられ、
前記側壁部には、前記底面リブの端部とつながる側壁リブが設けられている
ことを特徴とする包装用容器。
【請求項２】
前記側壁リブは、前記側壁部の中心寄りに傾いている
ことを特徴とする請求項１に記載の包装用容器。
【請求項３】
前記側壁リブは、前記フランジ部に近づくにつれて先細い
ことを特徴とする請求項１又は２に記載の包装用容器。
【請求項４】
底面部と、当該底面部の周縁から立ち上がる側壁部と、当該側壁部から外方に延出するフランジ部とを備え、
前記底面部には、中心部の両側に屈折部の先端が外側を向いている凸状且つくの字型の底面リブが、それぞれ少なくとも二つ以上平行に設けられ、
隣り合う前記底面リブの各々の間の前記底面部には、当該底面リブの各々をつなぐ凸状の梁リブが複数設けてられている
ことを特徴とする包装用容器。
【請求項５】
前記底面リブの両側に設けられた前記梁リブの各々は、同一直線上以外の部分に位置する
ことを特徴とする請求項４に記載の包装用容器。
【請求項６】
前記梁リブの高さは、前記底面リブの高さより低い
ことを特徴とする請求項４又は５に記載の包装用容器。
【請求項７】
隣り合う前記底面リブ同士の間隔は５ｍｍ以上であり、
前記底面リブの各々の間にある隣り合う前記梁リブ同士の間隔は５ｍｍ以上である
ことを特徴とする請求項４〜６のいずれか一項に記載の包装用容器。
【請求項８】
前記底面リブの表面には、凹状の小リブが設けてられており、
前記小リブの深さは、前記底面リブの高さより浅い
ことを特徴とする請求項１又は４に記載の包装用容器。
【請求項９】
請求項１〜８のいずれか一項に記載の包装用容器は、ミンチ肉を収容可能とする
ことを特徴とするミンチ肉向けトレー。
【発明の詳細な説明】
【技術分野】
【０００１】
本発明は、使用上の外力に対する剛性を高める構造からなる包装用容器に関するものである。
【背景技術】
【０００２】
従来から、例えばスーパーやコンビニエンスストアでは、食品の販売にプラスチック製の透明な包装用容器を用い、ラップフィルムで包装していた。需要者は、ラップフィルム及び包装用容器を介して中身を視認できるため、所望の食品を購入することができた。
【０００３】
一方、精肉の場合、工場が所有する所定の装置で包装用容器に精肉を収納し、ラップフィルムの包装を行っていた。このとき、装置で包装用容器を持ち上げたり移動したりすると、この包装容器に外力が加わり、変形してしまうこともあった。そのため、本来は納品すべきでない製品を出荷してしまったり、包装用容器を交換したりする手間がかかっていた。
【０００４】
そこで、容器本体の表面各部に凹凸の形状（リブ）をつけることで、所定の方向から加わる外力に対する表面各部の剛性を高め、変形し難い構造が提案されている（例えば、特許文献１及び特許文献２参照。）。詳細には、容器本体の底面部や側壁部に直線型のリブを設けており、このリブがこの底面部や側壁部を変形しようとする外力に対する剛性を高めている。
【先行技術文献】
【特許文献】
【０００５】
【特許文献１】意匠登録第１４１０９６９号公報
【特許文献２】意匠登録第１４２６７７２号公報
【発明の概要】
【発明が解決しようとする課題】
【０００６】
しかしながら、リブの形状によっては、食品を収納し難かったり、収納した食品が取り出しにくかったりすることがあった。特に、ミンチ肉においては、ミンサーで細切れになった小さい肉片が、リブの角部分や底面部の隅部分に残存してしまうことがあった。そのため、食品を容器本体から容易に取り出せる構造が必要とされてきた。
【０００７】
さらに、出荷前の製造業者によるラップフィルムの包装、販売前後の販売業者による製品の輸送や店舗への陳列、購入前後の購入者による持ち運び、調理及び飲食前の購入者による取り扱いを想定し、多数の方向から加わる外力に対してより高い剛性を有する構造が求められてきた。
【０００８】
そこで、本発明の第一の目的は、食品の製造販売で加わる外力に対応可能な剛性を有する包装用容器を提供することにある。また、本発明の第二の目的は、収納した食品を容易に取り出し可能な包装用容器を提供することにある。
【課題を解決するための手段】
【０００９】
上記課題を解決するために、本発明による包装用容器は、底面部と、上記底面部の周縁から立ち上がる側壁部と、上記側壁部から外方に延出するフランジ部とを備え、上記底面部には、中心部の両側に屈折部の先端が外側を向いている凸状且つくの字型の底面リブが設けられ、上記側壁部には、上記底面リブの端部とつながる側壁リブが設けられていることを特徴とする。
【００１０】
上記側壁リブは、上記側壁部の中心寄りに傾いていることが望ましい。
【００１１】
上記側壁リブは、上記フランジ部に近づくにつれて先細いことが望ましい。
【００１２】
さらに、本発明による包装用容器は、底面部と、上記底面部の周縁から立ち上がる側壁部と、上記側壁部から外方に延出するフランジ部とを備え、上記底面部には、中心部の両側に屈折部の先端が外側を向いている凸状且つくの字型の底面リブが、それぞれ少なくとも二つ以上平行に設けられ、隣り合う上記底面リブの各々の間の上記底面部には、上記底面リブの各々をつなぐ凸状の梁リブが複数設けてられていることを特徴とする。
【００１３】
上記底面リブの両側に設けられた上記梁リブの各々は、同一直線上以外の部分に位置することが望ましい。
【００１４】
上記梁リブの高さは、上記底面リブの高さより低いことが望ましい。
【００１５】
隣り合う上記底面リブ同士の間隔は５ｍｍ以上であり、上記底面リブの各々の間にある隣り合う上記梁リブ同士の間隔は５ｍｍ以上であることが望ましい。
【００１６】
上記底面リブの表面には、凹状の小リブが設けてられており、上記小リブの深さは、上記底面リブの高さより浅いことが望ましい。
【００１７】
本発明による包装用容器は、ミンチ肉を収容可能とするミンチ肉向けトレーであることを特徴とする。
【発明の効果】
【００１８】
本発明による包装用容器は、底面部の中心部の両側に屈折部の先端が外側を向いている凸状且つくの字型の底面リブが設けられ、上記底面リブの端部とつながる側壁リブが側壁部に設けられていることにより、底面部や側壁部を曲げたり反ったり捻ったりする外力に対して剛性を高めることができる。さらに、側壁リブが側壁部の中心寄りに傾いていたり、フランジ部に近づくにつれて先細かったりすることにより、重なった包装用容器を取り外し易い。
【００１９】
また、本発明による包装用容器は、底面部の中心部の両側に屈折部の先端が外側を向いている凸状且つくの字型の底面リブが二つ以上平行に設けられ、隣り合う底面リブの各々の間の底面部に、上記底面リブの各々をつなぐ凸状の梁リブが複数設けられていることにより、底面部を曲げたり反ったり捻ったりする外力に対してより剛性を高めることができる。さらに、底面リブの両側に設けられた梁リブの各々が同一直線上以外の部分に位置することで剛性をさらに高めることができ、梁リブの高さが底面リブの高さより低いことでミンチ肉等の小さい細切れの食材を取り易くすることができる。
【図面の簡単な説明】
【００２０】
【図１】包装用容器の斜視図である。
【図２】包装用容器の平面図である。
【図３】包装用容器の正面図である。
【図４】包装用容器の参考平面図及び端面図である。
【図５】包装用容器の底面図である。
【図６】包装用容器の右側面図である。
【発明を実施するための形態】
【００２１】
以下、図１〜図４を参照しつつ、本発明の一実施形態における包装用容器について説明する。
なお、同等の部品又は部位には、参照を容易にする等のため、同じ数字にアルファベットを付加していると共に、説明が重複するものには、符番を省略している。図面上見えない部分の符番は、適宜破線を引き出し線として用いている。
【００２２】
まず、図１を用いて、本実施形態における包装用容器の概要を説明する。
【００２３】
図１に示すように、本発明の一実施形態における包装用容器は、底面部１と、この底面部の周縁から立ち上がる側壁部２と、この側壁部から外方に延出するフランジ部３とを備え、この底面部には、中心部１１の両側に屈折部４１ａ〜４１ｆの先端が外側を向いている凸状且つくの字型の底面リブ４ａ〜４ｆが複数設けられ、この側壁部には、この底面リブの各々の端部とつながる側壁リブ５ａ〜５ｆが設けられていてもよい。
【００２４】
側壁リブ５ａ〜５ｆの各々は、側壁部２の中心寄りに傾いていてもよい。
【００２５】
側壁リブ５ａ〜５ｆの各々は、フランジ部３に近づくにつれて先細くてもよい。
【００２６】
底面部１には、中心部１１の両側に屈折４１ａ〜４１ｆの先端が外側を向いている凸状且つくの字型の底面リブ４ａ〜４ｆが、それぞれ少なくとも二つ以上平行に設けられ、隣り合う底面リブ４ａ及び４ｂ，４ｂ及び４ｃ，４ｄ及び４ｅ，４ｅ及び４ｆの各々の間のこの底面部には、この底面リブの各々をつなぐ凸状の梁リブ６ａ，６ｂ，６ｅ，６ｆが複数設けられていてもよい。
【００２７】
例えば、底面リブ４ｂの両側に設けられた梁リブ６ａ，６ｂの各々は、同一直線上以外の部分に位置してもよい。
【００２８】
梁リブ６ａ〜６ｆの高さは、底面リブ４ａ〜４ｆの高さより低くてもよい。
【００２９】
例えば、隣り合う底面リブ４ａ，４ｂ同士の間隔は５ｍｍ以上であり、この底面リブの各々の間にある隣り合う梁リブ６ａ，６ａ同士の間隔は５ｍｍ以上であってもよい。
【００３０】
底面リブ４ａ〜４ｆの各々の表面には、凹状の小リブ７ａ〜７ｆが設けてられており、この小リブの深さは、この底面リブの高さより浅くてもよい。
【００３１】
次に、図２〜図４を用いて、本実施形態における包装用容器の構造について詳細に説明する。
【００３２】
図２に示す包装用容器は、平面視で横長で、食品を収納する長方形状の底面部１と、この底面部の周縁から外側斜め上方に拡開して立ち上がる側壁部２と、この側壁部の上端の周縁から外方に延出している略直線状のフランジ部３とを備えていてもよい。
なお、包装用容器は、図示する状態を使用上の通常の向きとしてもよい。この場合、底面部１の中心部を示す中心部１１を基準とし、側壁部２の下側を正面側壁部２ａ、上側を背面側壁部２ｂ、左側を左側壁部２ｃ、右側を右側壁部２ｄ、フランジ部３の下側を正面フランジ部３ａ、上側を背面フランジ部３ｂ、左側を左フランジ部３ｃ、右側を右フランジ部３ｄとしてもよい。正面側壁部２ａと背面側壁部２ｂ、正面フランジ部３ａと背面フランジ部３ｂ、左側壁部２ｃと右側壁部２ｄ、左フランジ部３ｃと右フランジ部３ｄは、それぞれ平行であってもよい。包装用容器がラップフィルムで包装される場合、リフト用の爪が左側壁部２ｃ及び右側壁部２ｄの下から差し込まれてもよい。フランジ部３の内周縁が容器本体の開口縁に該当してもよい。底面部１、側壁部２及びフランジ部３の形状や寸法に限定はない。底面部１は、円形状や楕円形状でもよく、この底面部の形状に応じて、側壁部２及びフランジ部３の形状を変更してもよい。
【００３３】
図２に示すとおり、底面部１には、中心部１１から正面側壁部２ａ及び背面側壁部２ｂ方向に伸び、この正面側壁部側及び背面側壁部側が円弧状の中央エリア（付番しない）が設けられ、この中央エリアの周縁には、底面部１の表側に突出している凸状の二重リブ１１ａが設けられていてもよい。
なお、中央エリアの形状に限定はなく、矩形状、円状又は楕円状でもよい。二重リブ１１ａのリブの高さ及び幅に限定はなく、例えば、外側のリブが内側のリブより高く且つ幅広であってもよい。二重リブ１１ａのリブ同士の間隔に限定はなく、例えば、内側のリブの幅と同等の間隔が空いていてもよい。製造上、空の容器本体を移動させる場合、中央エリアに吸引機のノズルを密着させてもよい。
【００３４】
図２に示すとおり、底面部１の中心部１１を中心とする中央エリアの両側には、この中心部を通過し、且つ正面フランジ部３ａ及び背面フランジ部３ｂと平行な直線上に、屈折部４１ａ〜４１ｃが左側壁部２ｃ方向の外側、屈折部４１ｄ〜４１ｆが右側壁部２ｄ方向の外側を向き、底面部１の表側に突出している凸状且つくの字型の底面リブ４ａ〜４ｆが、それぞれ３つずつ左右対称に設けられていてもよい。
なお、底面リブ４ａ〜４ｆの向き及び位置は、左右対称でなくてもよい。底面リブ４ａ〜４ｆの形状は、同一でなくてもよい。底面リブ４ａ〜４ｆの屈折部４１ａ〜４１ｆの角度に限定はなく、１００〜１７０°でもよく、１２０〜１６５°が好ましく、１４０〜１６０°がより好ましい。底面リブ４ａ〜４ｆの高さ及び幅に限定はなく、高さは２〜７ｍｍでもよく、２〜６ｍｍが好ましく、２．５〜４ｍｍがより好ましく、幅は２〜７ｍｍでもよく、２〜６ｍｍが好ましく、２．５〜４ｍｍがより好ましく、例えば、二重リブ１１ａの高さ及び幅以上でもよい。底面リブの数の割合に限定はなく、中央エリアの一方側が他方側より多くてもよい。底面リブが二つ以上設けられている場合、隣り合う底面リブ同士の間隔に限定はなく、５〜２０ｍｍでもよく、１０〜１８ｍｍが好ましく、１２〜１５ｍｍがより好ましい。
【００３５】
図２及び図３に示すとおり、側壁部２には、正面側壁部２ａ側及び背面側壁部２ｂ側の底面リブ４ａ〜４ｆの端部から、この正面側壁部及び背面側壁部につながる容器本体内側に凸状の側壁リブ５ａ〜５ｆが設けられてもよい。側壁リブ５ａ〜５ｆのうち、内側の側壁リブほど、正面視で底面部１の中心部１１寄りに傾いていてもよい。壁リブ５ａ〜５ｆは、正面視で正面フランジ部３ａ及び背面フランジ部３ｂに近づくにつれて先細い三角形状であってもよい。
なお、側壁リブ５ａ〜５ｆは、垂直でも外側に傾いていてもよい。側壁リブ５ａ〜５ｆの中心部１１寄りの傾き角Ｄに限定はなく、７５〜１０５°がよく、８０〜１００°が好ましく、８５〜９５°がより好ましい。側壁リブ５ａ〜５ｆは、長方形状でも台形状でもよい。底面リブ４ａ〜４ｆと側壁リブ５ａ〜５ｆとは、一体的に成型されていてもよい。
【００３６】
図２に示すとおり、底面部１には、隣り合う底面リブ４ａ及び４ｂ，４ｂ及び４ｃ，４ｄ及び４ｅ，４ｅ及び４ｆ，底面リブ４ｃ及び二重リブ１１ａの外側のリブ，底面リブ４ｄ及び二重リブ１１ａの外側のリブの各々の間に、それぞれをつなぐ凸状且つ直線状の梁リブ６ａ〜６ｆが設けられてもよい。底面リブ４ｂの両側に設けられた梁リブ６ａ及び６ｂ、底面リブ４ｃの両側に設けられた梁リブ６ｂ及び６ｃ、底面リブ４ｄの両側に設けられた梁リブ６ｄ及び６ｅ、底面リブ４ｅの両側に設けられた梁リブ６ｅ及び６ｆの各々は、正面フランジ部３ａ及び背面フランジ部３ｂと平行な直線と同一直線上以外の部分に位置してもよい。
図４に示すとおり、例えば、梁リブ６ｂ，６ｃの高さ（底面部１の表面からこの梁リブの頂点までの距離）は、底面リブ４ａ〜４ｄの高さより低くてもよい。
なお、梁リブ６ａ〜６ｆは、底面部１の中心部１１を通過し、且つ正面フランジ部３ａ及び背面フランジ部３ｂと平行な直線を境として、同じ底面リブ同士の間に対称に設けられてもよい。例えば、対称に設けられている隣り合う梁リブ６ａ,６ａ同士の間隔に限定はなく、１０〜５０ｍｍでもよく、１５〜４５ｍｍが好ましく、２０〜４０ｍｍがより好ましい。梁リブ６ａ〜６ｆは、各々平行、且つ正面フランジ部３ａ及び背面フランジ部３ｂと平行（左側壁部２ｃ及び右側壁部２ｄと直交する向き）に設けられてもよい。梁リブ６ａ，６ｃ，６ｄ，６ｆ及び梁リブ６ｂ，６ｅは、正面フランジ部３ａ及び背面フランジ部３ｂと平行な直線とそれぞれ同一直線上に位置してもよい。梁リブの高さに限定はなく、０．５〜２ｍｍでもよく、０．６〜１．８ｍｍが好ましく、０．８〜１．５ｍｍがより好ましい。梁リブの幅に限定はなく、１〜３ｍｍでもよく、１．２〜２．８ｍｍが好ましく、１．５〜２．５ｍｍがより好ましい。底面リブ４ａ〜４ｆと梁リブ６ａ〜６ｆとは、一体的に成型されていてもよい。
【００３７】
図２に示すとおり、底面リブ４ａ，４ｃ，４ｄ，４ｆには屈折部４１ａ，４１ｃ，４１ｄ，４１ｆ以外の表面に小リブ７ａ，７ｃ，７ｄ，７ｆ、底面リブ４ｂ，４ｅには屈折部４１ｂ，４１ｅを含む表面に小リブ７ｂ，７ｅがそれぞれ設けられてもよい。小リブ７ａ及び７ｂ、７ｂ及び７ｃ、７ｄ及び７ｅ、７ｅ及び７ｆは、正面フランジ部３ａ及び背面フランジ部３ｂと平行な直線と同一直線上以外の部分に位置してもよい。
図４に示すとおり、例えば、小リブ７ｅの深さ（所定の底面リブの頂点からこの小リブの最下点までの距離）は、この底面リブの高さより浅くてもよい。
なお、小リブ７ａ，７ｃ，７ｄ，７ｆは、底面部１の中心部１１を通過し、且つ正面フランジ部３ａ及び背面フランジ部３ｂと平行な直線を境として、同じ底面リブの表面に対称に設けられてもよい。隣接する所定の小リブと梁リブとは、同一直線上以外の部分に位置してもよく、例えば、小リブ７ａ及び７ｂ並びに梁リブ６ａは、同一直線上になくてもよい。小リブの深さに限定はなく、０．５〜２ｍｍでもよく、０．６〜１．８ｍｍが好ましく、０．８〜１．５ｍｍがより好ましい。小リブの幅に限定はなく、１〜３ｍｍでもよく、１．２〜２．８ｍｍが好ましく、１．５〜２．５ｍｍがより好ましい。
【００３８】
その他、図２に示すとおり、左側壁部２ｃ又は右側壁部２ｄに最も近くに位置する底面リブ４ａ又は４ｆから、この左側壁部及び右側壁部に向かって伸びる底面リブ（符番しない）が設けられ、この左側壁部及び右側壁部には、この底面リブの端部とつながる側壁リブ（符番しない）が設けられていてもよい。
また、図２〜図４に示すとおり、底面部１と側壁部２とが連設している四つ角部分は斜面状で、この斜面状の部分と連設する底面部１裏面の四つ角部分はこの底面部の他の部分より位置が高く、リフト用の爪が引っ掛かり難い構造であってもよい。
【００３９】
次に、図１〜図４を用いて、本実施形態における包装用容器の使用における構造の特徴及び効果を説明する。
【００４０】
まず、底面部１に対して左側壁部２ｃ側及び右側壁部２ｄ側から内側に向かって外力が加わった場合、凸状且つくの字型の底面リブ４ａ〜４ｆのうち、屈曲部４１ａ〜４１ｃの先端がこの左側壁部側、屈曲部４１ｄ〜４１ｆの先端がこの右側壁部側を向いていることにより、それぞれの外力に対するこの底面部の剛性を高め、変形を防止している。また、正面側壁部２ａ側及び背面側壁部２ｂ側に位置する底面リブ４ａ〜４ｆの端部からこの正面側壁部及びこの背面側壁部に側壁リブ５ａ〜５ｆがつながり、この側壁リブがそれぞれこの正面側壁部及びこの背面側壁部の中心寄りに傾いていることにより、それぞれの外力に対するこの側壁リブの剛性を高め、変形を防止している。さらに、正面側壁部２ａ側及び背面側壁部２ｂ側から内側に向かって外力が加わった場合、底面リブ４ａ〜４ｆがくの字型であることにより、それぞれの外力に対するこの底面部の弾性力を高め、変形しても復元しやすい。
【００４１】
さらに、側壁リブ５ａ〜５ｃ及び５ｄ〜５ｆがそれぞれ側壁部２の中心寄りに傾き、この側壁リブの先端がフランジ部３に近づくにつれて先細くなることにより、包装用容器同士を重ねても抜き取り易い。
【００４２】
また、底面部１に対して左側壁部２ｃ側及び右側壁部２ｄ側から内側に向かって外力が加わった場合、平行に設けられた底面リブ４ａ〜４ｆの各々の間に、隣り合う底面リブ同士をつなぐ細長い凸状の梁リブ６ａ〜６ｆが、この外力の向きと同じ向きに複数設けてあることにより、それぞれの外力に対するこの底面部の剛性をより高め、変形を防止している。
【００４３】
さらに、例えば、底面リブ４ｂの両側に梁リブ６ａ及び６ｂの各々が同一直線上にならないよう位置をずらして設けられていることにより、左側壁部２ｃ側及び右側壁部２ｄ側から内側に向かって加わった外力に対する底面部１の剛性を一層高め、変形を防止している。
【００４４】
このとき、梁リブ６ａ〜６ｆの高さが底面リブ４ａ〜４ｆの高さより低いことにより、収納する食品がミンチ肉等の細かい部材でも、底面部１と底面リブ４ａ〜４ｆ及び梁リブ６ａ〜６ｆが交わる小さい角部分に詰まってしまうことを予防すると共に、詰まってしまった部材を取り除き易い。
【００４５】
また、底面リブ４ａ〜４ｆのうち、隣り合う底面リブの間隔が５ｍｍ以上、この隣り合う底面リブの間にある梁リブ６ａ〜６ｆのうち、隣り合う底面リブ（例えば、梁リブ６ａ，６ａ）の間隔が５ｍｍ以上であることで、ミンチ肉等の細かい部材が角部分に詰まってしまうことを予防すると共に、詰まってしまった部材を取り除き易い。
【００４６】
さらに、底面リブ４ａ〜４ｆの表面に凹状の小リブ７ａ〜７ｆが設けられており、この小リブの深さがこの底面リブの高さより浅いことで、この底面リブの剛性を高めると共に、ミンチ肉等の細かい部材でも、この小リブの小さい角部分に詰まってしまうことを予防するのみならず、詰まってしまった部材を取り除き易い。
【００４７】
このように、本実施形態における包装用容器は、底面部１の中心部１１の両側に屈折部４１ａ〜４１ｃ及び４１ｄ〜４１ｆの先端が外側を向いている凸状且つくの字型の底面リブ４ａ〜４ｆが設けられ、この底面リブの端部とつながる側壁リブ５ａ〜５ｆが側壁部２に設けられていることにより、底面部１や側壁部２を曲げたり反ったり捻ったりする外力に対する剛性を高めることができる。さらに、側壁リブ５ａ〜５ｆが側壁部２の中心寄りに傾いていたり、フランジ部３に近づくにつれて先細かったりすることにより、重なった包装用容器を取り外し易い。
【００４８】
また、本実施形態における包装用容器は、底面部１の中心部１１の両側に屈折部４１ａ〜４１ｃ及び４１ｄ〜４１ｆの先端が外側を向いている凸状且つくの字型の底面リブ４ａ〜４ｆが二つ以上平行に設けられ、隣り合う底面リブの各々の間の底面部に、この底面リブの各々をつなぐ凸状の梁リブ６ａ〜６ｆが複数設けられていることにより、この底面部を曲げたり反ったり捻ったりする外力に対してより剛性を高めることができる。さらに、底面リブ１の両側に設けられた梁リブの各々が同一直線上以外の部分に位置することで剛性をさらに高めることができ、梁リブの高さが底面リブの高さより低いことでミンチ肉等の小さい細切れの食材を取り易くすることができる。
【００４９】
なお、本実施形態における包装用容器は、例えば真空成形、圧空成形、真空圧空成形、両面真空成形、熱板成形等のシート成形で、合成樹脂シートを熱成形することにより形成される。合成樹脂シートとしては、例えばポリエチレンテレフタレート等のポリエステル系樹脂、ポリスチレン等のスチレン系樹脂、ポリプロピレン等のオレフィン系樹脂で、単層や多層のシートを使用してもよい。樹脂としては、例えば発泡樹脂を使用すれば、軽量かつ断熱性があり好ましい。さらに、シートの表面または裏面を合成樹脂フィルムで覆ってもよく、表面を覆った場合は印刷を施してもよい。合成樹脂シートの厚みは特に制限はないが、０．１５〜０．５ｍｍであればよく、好ましくは０．１８〜０．４５ｍｍ、より好ましくは０．２〜０．３５ｍｍである。
【産業上の利用可能性】
【００５０】
本発明における包装用容器は、肉類に限らず、惣菜類、魚介類、野菜類を含む食品全般及び包装用容器に関する産業に広く利用可能である。
【符号の説明】
【００５１】
１          底面部
２          側壁部
３          フランジ部
４ａ〜４ｆ  底面リブ
５ａ〜５ｆ  側壁リブ
６ａ〜６ｆ  梁リブ
７ａ〜７ｆ  小リブ
【図１】
2017137065.tif 000003
【図２】
2017137065.tif 000004
【図３】
2017137065.tif 000005
【図４】
2017137065.tif 000006
【図５】
2017137065.tif 000007
【図６】
2017137065.tif 000008